(57)【要約】【課題】スクリーン版が大型であっても、クランプ時の歪みを抑制し、作業性を良好にし、なお且つ、省スペース化を図ることができる紗張装置を提供する。【解決手段】紗張装置１は、装置設置面７に対して傾斜した紗張面Ｓと、紗張面に沿ってスクリーンの張設を行う張設部９と、張設部の上方に配置され、スクリーンを張設部の上方で支持しながら張設部に供給するスクリーン供給部１１とを備える。【選択図】図１
2007268733.tif 000002
【特許請求の範囲】
【請求項１】
装置設置面に対して傾斜した紗張面と、
前記紗張面に沿ってスクリーンの張設を行う張設部と、
前記張設部の上方に配置され、スクリーンを該張設部の上方で支持しながら該張設部にスクリーンを供給するスクリーン供給部と
を備えた紗張装置。
【請求項２】
請求項１に記載の紗張装置であって、コンビネーション張りスクリーン版の紗張装置であり、
前記スクリーンは、支持体スクリーンであり、
前記支持体スクリーンに対して印刷用スクリーンを添わせるように供給する、送り出しテーブルを更に備え、
前記送り出しテーブルは、前記印刷用スクリーンを搭載する搭載面であって前記装置設置面に対して傾斜した搭載面を有する、
紗張装置。
【請求項３】
請求項１又は２に記載の紗張装置であって、
前記スクリーン供給部は、前記スクリーンを巻き付けておくローラを有し、供給時には前記ローラから該スクリーンを巻き出すことによって前記張設部に供給する、
紗張装置。
【発明の詳細な説明】
【技術分野】
【０００１】
本発明は、スクリーン版の製造を行う紗張装置に関するものである。
【背景技術】
【０００２】
スクリーン印刷に使用されるスクリーン版として、コンビネーション張りスクリーン版がある（特許文献１参照）。コンビネーション張りスクリーン版は、スクリーン版として好適な弾性と剛性とを兼ね備えたものであり、スクリーン版中央部に印刷用スクリーンを有し、その周囲部に支持体スクリーンを有する。
【０００３】
中央部の印刷用スクリーンは、印刷部の形状や寸法を維持して高精度な印刷を行うために好適な剛性を具備している。また、周囲部の支持体スクリーンは、印刷用スクリーンを被印刷対象に接近させ、且つ、高精度で印刷された状態を維持したまま良好な版離れを実現するために適した弾性を発生させる。
【０００４】
このようなコンビネーション張りスクリーン版の製造においては、特許文献１に図示されるように、通常、支持体スクリーンを水平に配置して張設し、その下方には、支持体スクリーンよりも小さい印刷用スクリーンを水平なプレートに載置しておき、当該プレートを上昇させて支持体スクリーンの下面に印刷用スクリーンを添わせておき両者を接着する。そして、支持体スクリーンの部分のうち、印刷用スクリーンと重なる中央部分を切り取る。これにより、中央部に平面視矩形の印刷用スクリーンと、その周囲に平面視環状の支持体スクリーンとを備えたコンビネーション張りスクリーン版が得られる。
【０００５】
しかしながら、上述したスクリーン版の既存の製造態様では、近年のスクリーン版の大型化に伴い、次のような問題が生じうる。
すなわち、
ｉ）適当な張力を付与して各スクリーンを張設する際に歪みが生じやすい、
ii）スクリーン版の各部に作業者の手が届きにくく、また、作業者が楽な姿勢で作業できない、及び、
iii）スクリーン版の大型化は、紗張装置の大型化を招来し、装置の床占有スペースも拡大する、
といった問題である。
【特許文献１】特開２０００−１７７２６２号公報
【発明の開示】
【発明が解決しようとする課題】
【０００６】
本発明は、上記に鑑み、上記ｉ）、ii）及びiii）の３つの問題を全て同時に解消するものであって、スクリーン版が大型であっても、スクリーン張設時の歪みを抑制し、作業性を良好にし、なお且つ、省スペース化を図ることができる、紗張装置を提供することを目的とする。
【課題を解決するための手段】
【０００７】
上述した課題を解決するため、本発明に係る紗張装置は、装置設置面に対して傾斜した紗張面と、前記紗張面に沿ってスクリーンの張設を行う張設部と、前記張設部の上方に配置され、スクリーンを該張設部の上方で支持しながら該張設部にスクリーンを供給するスクリーン供給部とを備える。
【０００８】
また、上記紗張装置はコンビネーション張りスクリーン版の紗張装置であり、前記スクリーンは、支持体スクリーンであり、前記支持体スクリーンに対して印刷用スクリーンを添わせるように供給する、送り出しテーブルを更に備え、前記送り出しテーブルは、前記印刷用スクリーンを搭載する搭載面であって前記装置設置面に対して傾斜した搭載面を有するようにしてもよい。
【０００９】
また、好適には、前記スクリーン供給部は、前記スクリーンを巻き付けておくローラを有し、供給時には前記ローラから該スクリーンを巻き出すことによって前記張設部に供給する。
【発明の効果】
【００１０】
上述した本発明によれば、スクリーン版が大型であっても、スクリーン張設時の歪みを抑制し、作業性を良好にし、なお且つ、省スペース化を図ることができる。
【００１１】
なお、本発明の他の特徴及びそれによる作用効果は、添付図面を参照し、実施の形態によって更に詳しく説明する。
【発明を実施するための最良の形態】
【００１２】
以下、本発明に係る実施の形態を添付図面に基づいて説明する。なお、図中、同一符号は同一又は対応部分を示すものとする。
【００１３】
図１は、本実施の形態に係るコンビネーション張りスクリーン版の紗張装置の構成を模式的に示す側面図である。紗張装置１は、筐体３を備えており、筐体３の底面に設けられた脚部５を介して、作業施設の床面すなわち装置載置面７の上に置かれる。
【００１４】
さらに、図２も参照しながら説明する。図２は、紗張装置の紗張面を正面から示し、すなわち、図１の矢印ＩＩからみた図である。図１及び図２を参照し、筐体３の前面には、張設部９が設けられている。張設部９は、紗張面に沿ってスクリーンを張設するものであり、つまり、スクリーンに対して適当な張力を付与した状態で当該スクリーンを支持する。一例として、張設部９は、クランプ機構によって構成されている。クランプ機構は、４箇所に配置されており、図２に示されるように、矩形の四辺を構成するような配置関係で並んでいる。
【００１５】
図１に示されるように、紗張面Ｓは、張設部９によって画定された仮想的な作業面である。紗張面Ｓは、装置載置面７に対して傾斜している。本実施の形態では、紗張面Ｓと装置載置面７との成す立ち上がり角度θは（水平が０度となるが）、５０度以上が好適である。より詳細には、後述する重力の作用による歪み防止、作業性向上、省スペース化の観点からは、７０度以上が好ましく、逆に、紗張に接着剤を用いる観点からは、８５度以下が好ましい。よって、７０度〜８５度が最適である。
【００１６】
張設部９の上方、すなわち張設部９よりも高い位置には、スクリーン供給部１１が配置されている。スクリーン供給部１１は、図示省略する適当な態様によって、筐体３に固定されている。スクリーン供給部１１は、スクリーン（本実施の形態ではコンビネーション張りスクリーン版に係るため、以下、「支持体スクリーン」と明確に示す）５５を、張設部９の上方で支持しながら、当該張設部９に供給する。
【００１７】
具体例として、スクリーン供給部１１は、ローラ１３を有しており、かかるローラ１３には、予め支持体スクリーン５５が巻き付けられており、供給時には、ローラ１３に巻き付けられた支持体スクリーン５５をローラ１３から巻き出すことによって、張設部９に支持体スクリーン５５を供給する。
【００１８】
紗張面Ｓにおける筐体３の内部側には、送り出しテーブル１５が設けられている。送り出しテーブル１５は、支持体スクリーン５５と共にコンビネーション張りスクリーン版を構成する印刷用スクリーンを搭載する搭載面１７を有する。搭載面１７もまた、装置載置面７に対して傾斜しており、すなわち、紗張面Ｓとほぼ平行に設定された面である。また、送り出しテーブル１５は、紗張面Ｓに対してほぼ直交する方向に可動であって、紗張面Ｓに近づいたり離れたりするようにスライドできる。
【００１９】
次に、上述した紗張装置１によって製造されるコンビネーション張りスクリーン版の構成について簡単に説明する。図３は、コンビネーション張りスクリーン版の斜視図である。コンビネーション張りスクリーン版５１は、印刷用スクリーン５３と、支持体スクリーン５５と、スクリーン枠５７とを備えている。
【００２０】
印刷用スクリーン５３は、コンビネーション張りスクリーン版５１のほぼ中央部にあって、平面視矩形のメッシュ部材である。また、印刷用スクリーン５３は、印刷部の形状や寸法を維持して高精度な印刷を行うために好適な剛性を備えた繊維によって製作されたメッシュ部材である。例として、印刷用スクリーン５３は、ステンレスメッシュなどの金属繊維によって構成することができる。
【００２１】
支持体スクリーン５５は、印刷用スクリーン５３の周囲にあって、平面視、角形の環状をなすメッシュ部材である。支持体スクリーン５５の内側周縁は、印刷用スクリーン５３の外周縁に接続しており、支持体スクリーン５５の外側周縁は、スクリーン枠５７に接続している。
【００２２】
また、支持体スクリーン５５は、スキージの際に印刷用スクリーン５３を被印刷対象に接近させ、且つ、高精度で印刷された状態を維持したまま良好な版離れを実現するために適した弾性を発生させる繊維によって製作されたメッシュ部材である。例として、支持体スクリーン５５は、テフロン、ポリエステル、ナイロンなどの合成樹脂繊維、金属繊維、あるいは、セラミック繊維によって構成することができる。
【００２３】
スクリーン枠５７は、支持体スクリーン５５の外側周縁を支持するものであり、平面視、角形の環状をなす剛体である。
【００２４】
次に、紗張装置によるコンビネーション張りスクリーン版の製造工程について図４〜図７を参照しながら説明する。まず、図４に示されるように、支持体スクリーン５５を張設部９に張設する。より詳細に説明すると、図１に示したようにスクリーン供給部１１のローラ１３に巻き付けられていた支持体スクリーン５５をローラ１３から巻き出して、張設部９の前方に供給する。このとき、支持体スクリーン５５は、張設部９の上方で支持されており、すなわち、自重によって垂れ下がった状態とされる。そして、張設部９におけるクランプ機構を作用させ、支持体スクリーン５５を好適な張力を掛けた状態で固定する。
【００２５】
次に、図５に示されるように、搭載面１７に印刷用スクリーン５３を搭載した送り出しテーブル１５を紗張面Ｓに近づけるように移動させて、支持体スクリーン５５に対して印刷用スクリーン５３を添わせるように、印刷用スクリーン５３を供給する。続いて、図６に示されるように、接着剤６１を付与して、印刷用スクリーン５３の周縁部を、支持体スクリーン５５に接着させる。その後、図７に示されるように、支持体スクリーン５５の部分のうち、印刷用スクリーン５３が重なる部分を除去する。具体的には、環状に配置されている接着剤６１の内側に位置する、支持体スクリーン５５の不要部分５５ａを切除する。そして、支持体スクリーン５５にスクリーン枠５７を取り付け、張設部９から離脱させて、図８や図１に示すコンビネーション張りスクリーン版５１を得る。
【００２６】
このような本実施の形態に係る紗張装置によれば、スクリーン供給部１１のローラ１３から巻き出された支持体スクリーン５５は、張設部９の上方において上部を支持された状態で、張設部９の前方に供給される。このため、支持体スクリーン５５には、重力による均一な負荷が作用しており、水平な姿勢で張設部に供給される場合よりも、歪みが抑制されている。よって、張設部９においてクランプする際にも、歪みのない状態のまま支持体スクリーン５５を張設することができる。
【００２７】
加えて、紗張装置１は、水平ではなく装置載置面７に対して立ち上がるように傾斜した紗張面Ｓを備えているため、作業者は、その上半身を起こした状態で作業することができ、隅々まで容易に手が届き、また、姿勢も楽である等、作業性が飛躍的に向上している。
【００２８】
加えて、大型のスクリーン版に対応させても、紗張装置１の奥行きの拡大を抑制することができ、すなわち、設置施設における装置の床占有スペース拡大を抑制することができる。
【００２９】
しかも、本実施の形態に係る紗張装置は、このような３つの有益な作用効果を確実且つ同時に獲得することができる。
【００３０】
以上、好ましい実施の形態を参照して本発明の内容を具体的に説明したが、本発明の基本的技術思想及び教示に基づいて、当業者であれば、種々の改変態様を採り得ることは自明である。
【００３１】
まず、本発明の適用対象として、スクリーン版の構成は、コンビネーション張りスクリーン版に限定されるものではない。すなわち、スクリーン版の製造プロセスにおいて、紗張工程を含むものであれば、本発明を適用しうる。これに起因し、上述した上方から垂下するスクリーン供給工程及び張設工程以外の部分の工程については、上述した実施の形態から適宜改変することも可能である。
【００３２】
スクリーンに張力をかけて保持する張設態様としては、上述したクランプ態様はあくまでも一例であり、他の態様で張設することも可能である。
【００３３】
また、スクリーン版の形態についての上述内容は、あくまでも例示であり、平面視矩形である必要はなく、様々な形態のスクリーン版に対して、本発明を適用することが可能である。
【図面の簡単な説明】
【００３４】
【図１】本発明の実施の形態に係るコンビネーション張りスクリーン版の紗張装置の構成を模式的に示す側面図である。
【図２】本実施の形態に係る紗張装置の紗張面を図１の矢印ＩＩからみた図である。
【図３】コンビネーション張りスクリーン版の斜視図である。
【図４】本実施の形態に係る紗張装置によるコンビネーション張りスクリーン版の製造工程の一工程を示す図である。
【図５】図４の次の工程を示す図である。
【図６】図５の次の工程を示す図である。
【図７】図６の次の工程を示す図である。
【図８】図７の次の工程を示す図である。
【符号の説明】
【００３５】
１                      紗張装置
７                      装置載置面
９                      張設部
１１                    スクリーン供給部
１５                    送り出しテーブル
１７                    搭載面
５１                    コンビネーション張りスクリーン版
５３                    印刷用スクリーン
５５                    支持体スクリーン
Ｓ                      紗張面
【図１】
2007268733.tif 000003
【図２】
2007268733.tif 000004
【図３】
2007268733.tif 000005
【図４】
2007268733.tif 000006
【図５】
2007268733.tif 000007
【図６】
2007268733.tif 000008
【図７】
2007268733.tif 000009
【図８】
2007268733.tif 000010